(57)【特許請求の範囲】
【請求項１】
ステアリングシャフトのジャケットチューブの外周に取り付けられ、前記ステアリングシャフトに取り付けるステアリングに装着する電気部品を電気接続するクロックスプリング部材、方向指示器の操作レバー、前記ステアリングシャフトの回動に連動して前記操作レバーを中立位置に復帰させるカム部材、を装着するコンビスイッチにおいて、
前記コンビスイッチを、前記ジャケットチューブを左右両側から挟持し、上下対向縁にそれぞれ設けた取付部の一方を係合した状態で他方を接近する方向に回動させることによって係合して取り付ける一対のスイッチ部材で構成し、
これらスイッチ部材に、前記クロックスプリング部材を左右両側から挟持して保持する保持部を設けるとともに、前記クロックスプリング部材に前記スイッチ部材の保持部に挿入して保持される円弧状の係止片を設け、
前記カム部材を組み合わせた前記クロックスプリング部材に前記ステアリングシャフトを貫通させた状態で、前記各スイッチ部材を前記ジャケットチューブに取り付けることにより、前記スイッチ部材の取り付けと同時に前記クロックスプリング部材および前記カム部材を装着可能としたことを特徴とするコンビスイッチ。
【請求項２】
前記各スイッチ部材の取付部を、上下対向縁に設けた係止部および係止受部からなる係止手段で構成し、上下対向縁の一方の前記係止部と係止受部とを係合させた状態で、他方の前記係止部と係止受部とを接近する方向に回動させて係合可能としたことを特徴とする請求項１に記載のコンビスイッチ。
【請求項３】
上下対向縁の前記係止部と係止受部とを係合した状態で、他方の対向縁を締付手段で結合することにより、前記ジャケットチューブを左右両側から挟持して取り付ける構成としたことを特徴とする請求項２に記載のコンビスイッチ。
【発明の詳細な説明】
【０００１】
【発明の属する技術分野】
本発明は、ステアリングシャフトのジャケットチューブの外周に取り付けられるコンビスイッチに関するものである。
【０００２】
【従来の技術】
この種のコンビスイッチは、方向指示器やワイパーの操作レバーが取り付けられ、各種電子部品等が搭載されるものである。このコンビスイッチは、ステアリングシャフトの外周に取り付けられるスイッチ部材に、ステアリングシャフトの回動に連動して前記方向指示器の操作レバーを中立位置に復帰させるカム部材と、ステアリングシャフトに搭載するエアバックやホーン等の電気部品を接続するクロックスプリング部材とを組み付けてなる。
【０００３】
【発明が解決しようとする課題】
しかしながら、前記コンビスイッチでは、ステアリングシャフトにステアリングを装着する前に、ステアリングシャフトに潤滑材としてグリスを塗布した前記カム部材を取り付けたスイッチ部材を取り付け、前記クロックスプリングをネジ止めして固定しなければならないため、取付作業が煩雑で作業性が悪い。そのうえ、走行中の振動によりネジに緩み、がたつきが生じる恐れがある。
【０００４】
また、コンビスイッチの取付作業は、ステアリングシャフトにステアリングを取り付ける前に手順に従って行わなければならず、制約が大きい。しかも、故障等で取り外す必要が生じた場合には、逆にステアリングを取り外してから行わなければならず、非常に面倒である。
【０００５】
そこで、本発明は、簡単かつ作業性よく取り付けおよび取り外しが可能なコンビスイッチを提供することを課題とする。
【０００６】
【課題を解決するための手段】
前記課題を解決するため、本発明のコンビスイッチは、ステアリングシャフトのジャケットチューブの外周に取り付けられ、前記ステアリングシャフトに取り付けるステアリングに装着する電気部品を電気接続するクロックスプリング部材、方向指示器の操作レバー、前記ステアリングシャフトの回動に連動して前記操作レバーを中立位置に復帰させるカム部材、を装着するコンビスイッチにおいて、前記コンビスイッチを、前記ジャケットチューブを左右両側から挟持し、上下対向縁にそれぞれ設けた取付部の一方を係合した状態で他方を接近する方向に回動させることによって係合して取り付ける一対のスイッチ部材で構成し、これらスイッチ部材に、前記クロックスプリング部材を左右両側から挟持して保持する保持部を設けるとともに、前記クロックスプリング部材に前記スイッチ部材の保持部に挿入して保持される円弧状の係止片を設け、前記カム部材を組み合わせた前記クロックスプリング部材に前記ステアリングシャフトを貫通させた状態で、前記各スイッチ部材を前記ジャケットチューブに取り付けることにより、前記スイッチ部材の取り付けと同時に前記クロックスプリング部材および前記カム部材を装着可能としている。
【０００７】
前記コンビスイッチによれば、ジャケットチューブに対してスイッチ部材を配置する際に、該スイッチ部材に取り付けるクロックスプリング部材を保持部に配置した状態で、両スイッチ部材を左右両側から接近させることにより、スイッチ部材の取り付けが完了すると同時に、これらスイッチ部材に取り付けるクロックスプリング部材の取り付けが完了する。よって、クロックスプリング部材をネジ止め等の面倒な取付作業をすることなく、取り付けることができる。
【０００９】
また、前記各スイッチ部材の取付部を、上下対向縁に設けた係止部および係止受部からなる係止手段で構成し、上下対向縁の一方の前記係止部と係止受部とを係合させた状態で、他方の前記係止部と係止受部とを接近する方向に回動させて係合可能とすることが好ましい。
この場合、上下対向縁の前記係止部と係止受部とを係合した状態で、他方の対向縁を締付手段で結合することにより、前記ジャケットチューブを左右両側から挟持して取り付ける構成とすることが好ましい。
【００１０】
【発明の実施の形態】
以下、本発明に係る実施形態を添付図面に従って説明する。
図１から図４は、ステアリングシャフト１のジャケットチューブ２に外装されるコンビスイッチを示す。前記ジャケットチューブ２には、図１および図２に示すように、外周面に突起からなる回止部３が設けられている。
【００１１】
前記コンビスイッチは左右一対のスイッチ部材１０，２８で構成され、これらスイッチ部材１０，２８に、クロックスプリング部材４２、カム部材４６、ワイパーの操作レバー４９Ａ、方向指示器の操作レバー４９Ｂ、および、キーレスコントロールユニット５１を装着したものである。
【００１２】
図中左側の第１のスイッチ部材１０は、ケーシング１１の内部に図示しないワイパー駆動用の電気回路基板を収容する収容部１２を備え、この収容部１２内に配設された回路基板と前記ワイパーの操作レバー４９Ａとをコネクタ接続している。前記ケーシング１１の右端には、前記ジャケットチューブ２に外嵌する略半円形状の嵌合部１３が設けられている。この嵌合部１３の内周面には、前記回止部３を嵌め込んで位置決めする回止受部１４が設けられている。また、嵌合部１３の正面側の縁には、ジャケットチューブ２の端部に位置決めする位置決め部１５が設けられている。
【００１３】
さらに、前記スイッチ部材１０のケーシング１１には、スイッチ部材２８のケーシング２９と対向し、前記嵌合部１３の上下に位置する対向縁に、該スイッチ部材２８との取付部が設けられている。前記取付部は、ケーシング１１の下側縁に設けた係止部１６と、上側に設けた仮係止部１８および締付手段としてワイヤクランプで構成する締付機構１９とからなる。
【００１４】
前記係止部１６は、下側に突出するフックを有するフック形状をなし、前記嵌合部１３の下部に位置するケーシング１１の下側縁上部に設けられている。このケーシング１１の係止部１６の下側は、後述する係止受部３３への引掛時に所定の遊びを持たせるためのテーパ部１７とされている。
【００１５】
前記仮係止部１８は弾性片と係止爪とからなり、前記嵌合部１３の上部に位置するケーシング１１の上側縁上部に設けられている。
【００１６】
前記締付機構１９は、図１および図２に示すように、ケーシング１１の上面に設けた軸受部２０と、該軸受部２０に回動可能に取り付けるワイヤからなる締付部材２１とを備えている。また、ケーシング１１において、前記軸受部２０の図中左側には、上方に突出する凸部２２が設けられている。この凸部２２には、前記締付部材２１を挿通する溝２３が設けられるとともに、この溝２３に締付部材２１の締付方向と反対側への回動を防止する係止凸部２４が設けられている。また、この凸部２２には、後述するキーレスコントロールユニット５１の嵌め込みをガイドするガイド溝２５が設けられるとともに、該ガイド溝２５内に係止爪２６が設けられている。
【００１７】
また、本実施形態では、ケーシング１１の正面側には、スイッチ部材１０，２８に取り付ける部材であるクロックスプリング部材４２を保持する保持部２７が設けられている。この保持部２７は、正面から垂直に立設する側壁と、該側壁の突端から内向きに突出する保持片とからなる断面Ｌ字形状をなしている。
【００１８】
一方、図中右側の第２のスイッチ部材２８は、スイッチ部材１０と同様にケーシング２９の内部に図示しない方向指示器の電気回路基板を収容する収容部３０を備え、前記回路基板と方向指示器の操作レバー４９Ｂとをコネクタ接続している。前記ケーシング２９の左端には、前記ジャケットチューブ２に外嵌する略半円形状の嵌合部３１が設けられている。この嵌合部３１には、スイッチ部材１０に形成した回止受部１４は設けられず、正面側の縁に、ジャケットチューブ２の端部に位置決めする位置決め部３２が設けられている。
【００１９】
また、前記スイッチ部材２８のケーシング２９には、第１のスイッチ部材１０のケーシング１１と対向する縁に、係止受部３３と、仮係止受部３４および締付手段としてワイヤクランプで構成する被締付機構３５とかなる取付部が設けられている。
【００２０】
前記係止受部３３は、図１に示すように、前記係止部１６のフックを引っ掛ける引掛部からなり、この引掛部の周囲は、係止部１６を所定の遊びを持って挿入可能な孔とされている。
【００２１】
前記仮係止受部３４は、前記仮係止部１８と対応するケーシング２９の上部に設けた長孔からなる。
【００２２】
前記被締付機構３５は、図１および図２に示すように、ケーシング２９の上面に設けた幅方向の長溝３６ａを有する受部３６と、前記長溝３６ａに回動可能でかつスライド可能に取り付ける略矩形状のワイヤからなる被締付部材３７とからなる。この被締付部材３７は、前記締付部材２１を内部に挿通可能な大きさとされている。また、前記長溝３６ａの内部には、基部である受部３６を前記被締付部材３７を締付方向と反対側に付勢する付勢手段としてスプリング３８が配設されている。
【００２３】
また、前記ケーシング２９において、前記受部３６の図中右側には、上方に突出する凸部３９が設けられている。この凸部３９には、後述するキーレスコントロールユニット５１の引掛爪５３を差し込んで位置決めする爪受部４０が設けられている。さらに、本実施形態では、前記ケーシング１１と同様に、ケーシング２９の正面側に、垂直に立設する側壁と、該側壁の突端から内向きに突出する保持片とからなる断面Ｌ字形状の保持部４１が設けられている。
【００２４】
前記クロックスプリング部材４２は、前記ステアリングシャフト１に取り付けるステアリングに装着するホーンやエアバック等の電気部品に給電するものである。このクロックスプリング部材４２のケーシング４３には、前記保持部２７，４１と対向する円弧状の係止片４４が設けられるとともに、これら係止片４４の上部および一方の下部に止部４５が設けられている。ここで、従来のカム部材４６は、スイッチ部材に固定し、カムがステアリングシャフト１と一体的に回動するようにしているため、スプリング４８ｂの一端もステアリングシャフト１と一体的に回動し、他端がコンビスイッチのボデーと摺接するため、カムスプリングとの間にグリス等の潤滑剤を塗布する必要があったが、本実施形態では、この潤滑油は不要である。
【００２５】
前記カム部材４６は、ステアリングシャフト１の回動に連動して方向指示器の操作レバー４９Ｂを中立位置に復帰させるものである。このカム部材４６は、一対のカム筒体４７Ａ，４７Ｂの間に、スリットプレート４８ａおよびスプリング４８ｂを挟み込んで位置決めした構成とされている。本実施形態では、このカム部材４６は、この組付状態で前記クロックスプリング部材４２およびスイッチ部材１０，２８の間に挟んで取り付けられ、この取付状態でステアリングシャフト１と一体に回動するようになっている。ここで、従来のカム部材４６は、スイッチ部材に固定するようにしているため、金属材料からなるステアリングシャフト１との間にグリス等の潤滑剤を塗布する必要があったが、本実施形態では、この潤滑油は不要である。
【００２６】
前記方向指示器およびワイパーの操作レバー４９Ａ，４９Ｂは、取り付けるスイッチ部材１０，２８に嵌合接続する回路基板を収容したコネクタ部５０を備え、このコネクタ部５０にレバーを回動可能に配設した従来と同様のものである。
【００２７】
前記キーレスコントロールユニット５１は、前記締付手段の上部を覆うように配設されるブロック形状のケーシングを備え、図示しない送信機からの信号を受信し、設定された正規のキーコードと判断するとロック装置にロックまたはアンロックの信号を送信するものである。また、このキーレスコントロールユニット５１は、蛇角センサが装着され、ステアリングの回転角度を検出するようになっている。このキーレスコントロールユニット５１のケーシングの一端には、前記スイッチ部材１０の係止爪２６に係止する係止段部５２ａを備えた弾性係止部５２が設けられている。また、キーレスコントロールユニット５１のケーシングの他端には、スイッチ部材２８の爪受部４０に差し込んで位置決めする引掛爪５３が設けられている。
【００２８】
次に、前記コンビスイッチの取り付けについて説明する。
まず、クロックスプリング部材４２にカム部材４６を組み合わせておく。
【００２９】
ついで、図４（Ａ）に示すように、スイッチ部材１０の係止部１６をスイッチ部材２８の係止受部３３に引っ掛ける。そして、その引っ掛け部分を支点として各スイッチ部材１０，２８を接近する方向に回動させる。このとき、クロックスプリング部材４２の係止片４４を、スイッチ部材１０の保持部２７とスイッチ部材２８の保持部４１に挿入する。
【００３０】
その後、図４（Ｂ）に示すように、スイッチ部材１０の仮係止部１８をスイッチ部材２８の仮係止受部３４に係止させ、各スイッチ部材１０，２８が互いに離反するのを防止する。この状態で、各スイッチ部材１０，２８の締付部材２１および被締付部材３７を互いに接近する方向に回動させ、被締付部材３７の内部に締付部材２１を挿通させる。これにより、半組立状態のコンビスイッチが完成し、この半組立製品を自動車の組立工場に出荷する。
【００３１】
そして、自動車の組立工場では、前記半組立状態のコンビスイッチをステアリングシャフト１に嵌めこんで所定位置に位置決めする。この際、スイッチ部材１０は、回止受部１４内にジャケットチューブ２の回止部３を挿入し、該回止部３を位置決めできるように一致させる。そして、締付部材２１を把持し、該締付部材２１を締付方向（図４（Ｂ）中半時計回り）に回動させ、図４（Ｃ）に示すように、係止凸部２４を越えて締付部材２１が略水平に位置するまで回動させる。
【００３２】
これにより、被締付部材３７は前記締付部材２１に連動して回動するとともに、スイッチ部材２８の受部３６内を締付方向にスライドし、その突端がスイッチ部材１０の軸受部２０の外周に位置する。また、スイッチ部材２８の受部３６内に配設したスプリング３８は、前記被締付部材３７のスライドにより弾性的に収縮する。さらに、各スイッチ部材１０，２８は、前記締付機構１９による締め付けで、ステアリングシャフト１のジャケットチューブ２を両側から挟持する。
【００３３】
そして、図５に示すように、スイッチ部材１０，２８は、ステアリングシャフト１の軸径のばらつきを吸収した状態で所望の位置に適切に取り付けられるうえ、スイッチ部材１０の回止受部１４とジャケットチューブ２の回止部３との位置決めも伴い、がたつきなく、移動不可に位置決め固定される。また、これらスイッチ部材１０，２８に取り付ける部材であるクロックスプリング部材４２は、従来例のようなネジ止め作業をすることなく、保持部２７，４１によって同時に離脱不可に取り付けられる。そのため、取付作業性の向上を図ることができるとともに、ネジ等の部品点数の削減を図ることができる。
【００３４】
ついで、固定したスイッチ部材１０，２８の上部にキーレスコントロールユニット５１を配置し、引掛爪５３をスイッチ部材２８の爪受部４０に差し込んだ状態で、弾性係止部５２をガイド溝２５に沿って下降させて係止段部を係止爪２６に係止することにより、図４（Ｄ）に示すように、スイッチ部材１０，２８の上部にキーレスコントロールユニット５１を離脱不可にワンタッチで取り付ける。
【００３５】
その後、従来と同様に、ステアリングシャフト１に図示しないステアリングを取り付ける。
【００３６】
一方、メンテナンスの際や何等かの故障により前記スイッチ部材１０，２８を取り外す場合には、取り付けているステアリングを取り外すことなく、前記と逆の手順で、キーレスコントロールユニット５１を取り外し、締付機構１９を緩め、仮係止部１８と仮係止受部３４との係止を解除するだけで、簡単に取り外すことができる。
【００３７】
なお、本発明のコンビスイッチの取付構造は、前記実施形態に限定されるものではない。
【００３８】
【発明の効果】
以上の説明から明らかなように、本発明のコンビスイッチでは、ジャケットチューブに対してスイッチ部材を配置する際に、該スイッチ部材に取り付けるクロックスプリング部材を保持部に配置した状態で、両スイッチ部材を左右両側から接近させることにより、スイッチ部材の取り付けが完了すると同時に、これらスイッチ部材に取り付けるクロックスプリング部材の取り付けが完了する。
【００３９】
また、前記スイッチ部材に取り付ける部品は、前記ステアリングシャフトに取り付けるステアリングに装着する電気部品を電気接続するクロックスプリング部材であるため、ネジ止め等の面倒な取付作業をすることなく、クロックスプリング部材を作業性よく取り付けることができる。そして、取付用のネジ等の部品点数の削減を図ることができるうえ、走行中の振動によってネジの緩み等が生じることはないため、耐久性にも優れている。
【図面の簡単な説明】
【図１】  本発明のコンビスイッチを示す分解正面図である。
【図２】  コンビスイッチの分解平面図である。
【図３】  コンビスイッチの分解断面図である。
【図４】  （Ａ），（Ｂ），（Ｃ），（Ｄ）はコンビスイッチの取付工程を示す正面図である。
【図５】  コンビスイッチの取付状態を示す断面図である。
【符号の説明】
１…ステアリングシャフト、２…ジャケットチューブ、３…回止部、１０…スイッチ部材、１１…ケーシング、１３…嵌合部、１４…回止受部、１６…係止部、１８…仮係止部、１９…締付機構、２７…保持部、２８…スイッチ部材、２９…ケーシング、３０…収容部、３１…嵌合部、３３…係止受部、３４…仮係止受部、３５…被締付機構、３７…被締付部材、３８…スプリング、４１…保持部、４２…クロックスプリング部材、４４…係止片、４６…カム部材、４９Ａ，４９Ｂ…操作レバー、５１…キーレスコントロールユニット。
【図１】
0004573927.tif 000002
【図２】
0004573927.tif 000003
【図３】
0004573927.tif 000004
【図４】
0004573927.tif 000005
【図５】
0004573927.tif 000006